(57)【要約】【課題】好適に節電を実現することができる加熱調理器を提供することを目的とする。【解決手段】被加熱物を収容する加熱室を有する本体と、被加熱物を加熱する加熱手段３１と、加熱手段３１に電力を供給する二次電池５１と、二次電池５１および加熱手段３１に電力を供給する外部電源５０と、外部電源５０と二次電池５１との接続をＯＮまたはＯＦＦする電池スイッチ５５と、二次電池５１と加熱手段３１との接続をＯＮまたはＯＦＦする電池選択スイッチ５６と、各スイッチ５５、５６を時刻に従って制御する制御部３０とを備えた。【選択図】  図４
2013076472.tif 000002
【特許請求の範囲】
【請求項１】
被加熱物を収容する加熱室を有する本体と、
前記被加熱物を加熱する加熱手段と、
前記加熱手段に電力を供給する二次電池と、
前記二次電池および前記加熱手段に電力を供給する外部電源と、
前記外部電源と前記二次電池との接続をＯＮまたはＯＦＦする第１のスイッチと、
前記二次電池と前記加熱手段との接続をＯＮまたはＯＦＦする第２のスイッチと、
前記第１および第２のスイッチを時刻に従って制御する制御手段とを備えたことを特徴とする加熱調理器。
【請求項２】
前記制御手段は、所定の時刻が到来した場合に、前記第１のスイッチをＯＮして前記外部電源より前記二次電池に電力を供給し前記二次電池の充電を開始する請求項１記載の加熱調理器。
【請求項３】
前記加熱手段による加熱を開始する指示を受け付ける操作手段を更に備え、
前記制御手段は、前記操作手段が指示を受け付けた場合、前記第２のスイッチをＯＮして前記外部電源および前記前記二次電池より前記加熱手段に電力を供給し、予め定められた時刻に従って前記加熱手段に対する前記外部電源と前記二次電池電力との間の供給比率を制御する請求項１または２記載の加熱調理器。
【請求項４】
前記加熱手段による加熱を開始する指示を受け付ける操作手段を更に備え、
前記制御手段は、前記操作手段が指示を受け付けた場合、前記二次電池の電池残量を検出し前記電池残量が所定値以上である場合、前記第２のスイッチをＯＮして前記二次電池より前記加熱手段に電力を供給する請求項１または２記載の加熱調理器。
【請求項５】
前記外部電源および前記二次電池の少なくとも一方より供給される電力を他の電気機器に供給する外部電源端子をさらに備える請求項１〜４のいずれか一項記載の加熱調理器。
【請求項６】
前記二次電池と前記外部電源端子との接続をＯＮまたはＯＦＦする第３のスイッチと、
前記外部電源と前記外部電源端子との接続をＯＮまたはＯＦＦする第４のスイッチをとさらに備え、
前記制御手段は、前記外部電源端子に前記他の電気機器が接続された場合、前記第３および第４のスイッチをＯＮして前記外部電源および前記前記二次電池より前記外部電源端子に電力を供給し、予め定められた時刻に従って前記外部電源と前記二次電池より前記外部電源端子に対する電力供給比率を制御する請求項５記載の加熱調理器。
【請求項７】
前記制御手段は、前記第４のスイッチをＯＮし前記加熱手段および前記外部電源端子に対して前記外部電源より電力が供給される場合、前記加熱手段および前記外部電源端子のうち使用電力量が大きい方に前記二次電池より電力が供給されるよう前記第２または前記第３のスイッチをＯＮする請求項６記載の加熱調理器。
【請求項８】
前記二次電池の電池残量を表示する表示手段をさらに備える請求項１〜７のいずれか一項記載の加熱調理器。
【請求項９】
前記二次電池が充電中である旨を表示する表示手段をさらに備える請求項１〜８のいずれか一項記載の加熱調理器。
【発明の詳細な説明】
【技術分野】
【０００１】
本発明の実施形態は、二次電池を備える加熱調理器に関する。
【背景技術】
【０００２】
電子レンジなどの加熱調理器（以下、電子レンジという。）は、マイクロ波、ヒータ、過熱水蒸気などによる加熱手段を備える。これらの加熱手段は、商用交流電源などの外部電源から供給される電力で動作し、被加熱物を加熱する。
【０００３】
商用交流電源の電圧が１００Ｖである場合、消費電流が一般家庭の標準コンセント容量である１５Ａ以下となるよう（消費電力が１５００Ｗ以下となるよう）、加熱手段の出力を制御したり、動作させる時間を区切って加熱したりする必要がある。
【０００４】
そこで、従来、電子レンジに二次電池を備え、この二次電池により電力を補う技術が知られている（例えば特許文献１および２参照）。
【先行技術文献】
【特許文献】
【０００５】
【特許文献１】特開平６−２０７７３号公報
【特許文献２】特開２００８−２７６１号公報
【発明の概要】
【発明が解決しようとする課題】
【０００６】
今日、電子レンジを含む電気製品に対しては、電力消費量を低減したり、電気料金が低い深夜に電源を利用することにより電気料金を低減したりする技術が求められている。また、外部電源が利用できない非常時などにおいても二次電池を活用し、二次電池の電力により駆動したり、他の電気製品を動作させたりすることも求められている。
【０００７】
本発明はこのような事情を考慮してなされたもので、好適に節電を実現することができる加熱調理器を提供することを目的とする。
【課題を解決するための手段】
【０００８】
本発明に係る加熱調理器は、上述した課題を解決するために、被加熱物を収容する加熱室を有する本体と、前記被加熱物を加熱する加熱手段と、前記加熱手段に電力を供給する二次電池と、前記二次電池および前記加熱手段に電力を供給する外部電源と、前記外部電源と前記二次電池との接続をＯＮまたはＯＦＦする第１のスイッチと、前記二次電池と前記加熱手段との接続をＯＮまたはＯＦＦする第２のスイッチと、前記第１および第２のスイッチを時刻に従って制御する制御手段とを備えたことを特徴とする。
【発明の効果】
【０００９】
本発明に係る加熱調理器においては、好適に節電を実現することができる。
【図面の簡単な説明】
【００１０】
【図１】本発明に係る加熱調理器の一実施形態である電子レンジの正面図。
【図２】図１の電子レンジを正面から見た場合の縦断面図。
【図３】本実施形態における電子レンジの機能ブロック図。
【図４】本実施形態における電子レンジの電力供給系統を特に示す回路図。
【図５】電池スイッチ、電池選択スイッチおよび外部電源スイッチの状態に対応する電子レンジの動作を説明する表。
【図６】本実施形態における電子レンジにより実行される充電制御処理を説明するフローチャート。
【図７】本実施形態における電子レンジにより実行される電源切替処理を説明するフローチャート。
【発明を実施するための形態】
【００１１】
本発明に係る加熱調理器の一実施形態を添付図面に基づいて説明する。
【００１２】
図１は、本発明に係る加熱調理器の一実施形態である電子レンジ１の正面図である。
【００１３】
図２は、図１の電子レンジ１を正面から見た場合の縦断面図である。
【００１４】
図３は、本実施形態における電子レンジ１の機能ブロック図である。
【００１５】
図４は、本実施形態における電子レンジ１の電力供給系統を特に示す回路図である。
【００１６】
図１に示すように、電子レンジ１は、本体１０および扉１１を有する。
【００１７】
本体１０は、本体１０の上面、側面および背面を形成するキャビネット１０ａと、底面を形成する底板１０ｂとを有する。
【００１８】
扉１１は、本体１０の前面に取り付けられる。扉１１は、本体１０の前面下部に設けられたヒンジによって加熱室１４の開口部を開閉可能にする。
【００１９】
扉１１の例えば下側には、操作部２０および表示部２１が設けられる。
【００２０】
操作部２０（操作手段）は、ダイヤル・決定キー２５と、スタートキー２６と、取消キー２７とを有する。
【００２１】
ダイヤル・決定キー２５は、ダイヤルの回転操作により手動または自動運転の選択、加熱条件、自動調理メニューなどの選択を受け付ける。また、ダイヤル・決定キー２５は、回転操作により行われた選択の決定を押下操作により受け付ける。
【００２２】
スタートキー２６は、決定された調理メニューや加熱モード、加熱条件に基づく運転の開始指示を受け付ける。取消キー２７は、既に受け付けた選択や決定を取り消したり、開始した加熱運転を停止させたりする指示を受け付ける。例えば、取消キー２７は、調理メニューや加熱条件の選択中の押下により、既に決定された内容をリセットする指示を受け付ける。
【００２３】
表示部２１は、操作部２０を介して使用者により行われた調理メニューの選択および設定や電子レンジ１の運転状態などを表示する。また、表示部２１は、後述する二次電池５１が充電中である旨や二次電池５１の使用可能電力量を表示することにより、使用者に二次電池５１の状態を通知する。電子レンジ１は、通知に基づいて節電やピークカット、ピークシフトの意識喚起を使用者に対して行うことができる。
【００２４】
図２に示すように、内箱１２は、キャビネット１０ａに収容される。内箱１２は、被加熱物を収容する加熱室１４を形成する。内箱１２は、電子レンジ１の前面に、加熱室１４に被加熱物を出し入れする開口を有する。
【００２５】
フラット皿１５（固定皿）は、加熱室１４の底面に配置され、フラット皿１５上には被加熱物が配置される。
【００２６】
図２に示すように、本体１０は、マグネトロン３１、ヒータ３２、スチーム発生用ヒータ３３などの加熱手段（以下、マグネトロン３１、ヒータ３２およびスチーム発生用ヒータ３３を区別しない場合には、単に「加熱手段３１〜３３」という。）を所定位置に備える。電子レンジ１は、加熱手段３１〜３３により加熱室１４に収容された被加熱物のレンジ調理、オーブン調理、スチーム調理などの調理を行なうことができる。
【００２７】
マグネトロン３１は、マイクロ波を発生させる。マイクロ波の出力は、インバータ４０より供給される電源に応じて制御される。インバータ４０（図３参照）は、マグネトロン３１の出力を複数の値に変更する。
【００２８】
マグネトロン３１から放射されるマイクロ波は、マグネトロン３１に接続された導波管３５を通り、回転アンテナ３６の下面に流入する。マイクロ波は、回転アンテナ３６によって撹拌された後、フラット皿１５を透過し、加熱室１４内に放射される。
【００２９】
回転アンテナ３６は、回転または停止することによりマイクロ波を加熱室１４に伝播する。
【００３０】
アンテナ駆動部４１は、回転アンテナ３６と軸４１ａで接続されたモータである。アンテナ駆動部４１は、制御部３０（図３参照）の制御信号に基づいて回転アンテナ３６を回転および停止させる。アンテナ駆動部４１は、ステッピングモータを用いることにより、回転速度を容易に変更できる。
【００３１】
アンテナ位置検出部４２は、例えばマイクロスイッチやフォトインタラプタなどであり、回転アンテナ３６の回転角度や位置を検知する。アンテナ位置検出部４２は、検出結果を制御部３０へ供給する。
【００３２】
ヒータ３２は、例えば加熱室１４の天井側（上方）に設けられ、放射した熱によりオーブン調理を行う。スチーム発生用ヒータ３３は、タンクより供給された水を加熱してスチームを発生させる。発生したスチームは、例えば内箱１２の側面に設けられたスチーム供給口から加熱室１４に供給される。
【００３３】
赤外線センサ４５は、加熱室１４の右側面上方に設けられ、加熱室１４内（フラット皿１５上）の赤外線を検知することで温度を検出する。赤外線センサ４５は、単眼や複数眼の赤外線センサである。
【００３４】
図３に示す制御部３０は、電子レンジ１の各部を電気的に制御する。制御部３０は、後述する二次電池５１の電池残量を検出したり、電池スイッチ５５、電池選択スイッチ５６および外部電源スイッチ５７の切替を制御したりする。
【００３５】
制御部３０は、各スイッチ５５〜５７を制御したり、二次電池５１の充電を開始したりする際に参照するための時刻を記憶する記憶部３０ａを有する。また、制御部３０は、現在時刻を計測するタイマ３０ｂを有する。制御部３０は、記憶部３０ａおよびタイマ３０ｂを有することにより、各スイッチ５５〜５７を時刻に従って制御する。
【００３６】
ブザー報知部４６は、所定のタイミングにおいて使用者に通知を行うためのブザー音を制御部３０の指示に基づいて出力する。
【００３７】
図４に示すように、電子レンジ１は、電力供給源として外部電源５０および二次電池５１を有する。外部電源５０は、商用交流電源、発電機またはバッテリーなどの電源である。本実施形態においては、外部電源５０は商用交流電源である場合を例に説明する。外部電源５０は、インバータ４０（加熱手段３１〜３３）および外部電源端子５２に接続され電力を供給する。
【００３８】
二次電池５１は、外部電源５０から供給される電力を蓄電する。また、二次電池５１は、インバータ４０および外部電源端子５２に電力を供給する。外部電源端子５２は、外部電源５０および二次電池５１から供給される電源を、外部電源端子５２に接続される他の電気機器に供給する。他の電気機器は、例えば電子レンジ１近傍で使用される電気ポットなどの調理小物家電が考えられる。
【００３９】
なお、図４においては、外部電源５０の接続先としてのヒータ３２、スチーム発生用ヒータ３３の図示を省略するが、外部電源５０および二次電池５１より供給される電力によりヒータ３２およびスチーム発生用ヒータ３３は動作する。
【００４０】
電子レンジ１は、電池スイッチ５５、電池選択スイッチ５６および外部電源スイッチ５７を有する。電池スイッチ５５（第１のスイッチ）は、外部電源５０と二次電池５１との接続をＯＮまたはＯＦＦする。電池選択スイッチ５６は、二次電池５１の接続先を外部電源端子５２およびインバータ４０との間で切り替える。すなわち、電池選択スイッチ５６（第２のスイッチ）は、二次電池５１とインバータ４０との接続をＯＮまたはＯＦＦする。電池選択スイッチ５６（第３のスイッチ）は、二次電池５１と外部電源端子５２との接続をＯＮまたはＯＦＦする。外部電源スイッチ５７（第４のスイッチ）は、外部電源５０と外部電源端子５２との接続をＯＮまたはＯＦＦする。
【００４１】
図５は、電池スイッチ５５、電池選択スイッチ５６および外部電源スイッチ５７の状態に対応する電子レンジ１の動作を説明する表である。外部電源スイッチ５７がＯＮおよびＯＦＦのいずれの状態も取り得る場合を、図５においては斜線で示す。
【００４２】
電池スイッチ５５がＯＮ、電池選択スイッチ５６がＯＦＦである場合（パターン１）、外部電源５０は二次電池５１に電力を供給し、二次電池５１は充電される。電池スイッチ５５がＯＦＦ、電池選択スイッチ５６がＯＦＦである場合（パターン２）、外部電源５０はインバータ４０（加熱手段）に電力を供給し、マグネトロン３１による加熱調理が行われる。
【００４３】
電池スイッチ５５がＯＦＦ、電池選択スイッチ５６がインバータ４０に接続される場合（パターン３）、外部電源５０および二次電池５１はインバータ４０に対して電力を供給し、マグネトロン３１による加熱調理が行われる。
【００４４】
電池スイッチ５５がＯＦＦ、電池選択スイッチ５６が外部電源端子５２に接続される場合（パターン４）、二次電池５１は外部電源端子５２に電力を供給する。電池スイッチ５５がＯＦＦ、電池選択スイッチ５６がＯＦＦ、外部電源スイッチ５７がＯＮである場合（パターン５）、外部電源５０は外部電源端子５２に電力を供給する。
【００４５】
なお、パターン４および５においては、加熱手段３１〜３３および外部電源端子５２に同時に電力供給される場合、加熱手段３１〜３３の使用電力量と外部電源端子５２の使用電力量とをカレントトランスなどの計測器により計測し、使用電力量が大きい方に二次電池５１より電力供給してもよい。外部電源５０の電力を二次電池５１で補うことで、外部電源５０の使用電力量を抑制することができる。
【００４６】
また、各スイッチ５５〜５７の接続状態（電子レンジ１の動作状態）は、適宜表示部２１に表示され使用者に通知されることにより、使用者の節電に対する意識喚起を行うことができる。
【００４７】
次に、本実施形態における電子レンジ１の動作をフローチャートを用いて説明する。まず、二次電池５１を充電するタイミングを判定するために制御部３０により実行される充電制御処理について説明する。
【００４８】
図６は、本実施形態における電子レンジ１により実行される充電制御処理を説明するフローチャートである。
【００４９】
ステップＳ１において、制御部３０は、現在時刻が深夜電力時刻か否かの判定を行う。「深夜電力時刻」は、電力消費の少ない深夜から朝にかけて電気を使用する場合に料金が割安になる時刻をいう。制御部３０は現在時刻が深夜電力時刻ではないと判定した場合（ステップＳ１のＮＯ）、深夜電力時刻が到来するまで待機する。
【００５０】
一方、制御部３０は現在時刻が深夜電力時刻であると判定した場合（ステップＳ１のＹＥＳ）、ステップＳ２において、二次電池５１の充電状態を検出し、二次電池５１の蓄電容量に対してほぼ１００％充電されているか（充電状態がＭＡＸであるか）否かの判定を行う。制御部３０は、二次電池５１の充電状態がＭＡＸであると判定した場合（ステップＳ２のＹＥＳ）、二次電池５１の充電は不要であるため充電制御処理を終了する。
【００５１】
一方、制御部３０は、二次電池５１の充電状態がＭＡＸではないと判定した場合（ステップＳ２のＮＯ）、ステップＳ３において、電子レンジ１が外部電源５０による電力供給に基づいてレンジ調理、オーブン調理、またはスチーム調理中であるか否かの判定を行う。制御部３０は電子レンジ１が調理中であると判定した場合（ステップＳ３のＹＥＳ）、調理が終了するまで待機する。
【００５２】
一方、制御部３０は、電子レンジ１が調理中ではないと判定した場合（ステップＳ３のＮＯ）、ステップＳ４において、電池スイッチ５５をＯＮし、外部電源５０から二次電池５１に電力供給することにより二次電池５１の充電を開始する。このとき、制御部３０は、表示部２１に二次電池５１が充電中である旨を表示する。
【００５３】
ステップＳ５において、制御部３０は、二次電池５１の充電状態を検出し、二次電池５１の充電状態はＭＡＸとなったか否かの判定を行う。制御部３０は二次電池５１の充電状態はＭＡＸではないと判定した場合（ステップＳ５のＮＯ）、充電状態がＭＡＸになるまで二次電池５１の充電を継続する。
【００５４】
一方、制御部３０は二次電池５１の充電状態はＭＡＸであると判定した場合（ステップＳ５のＹＥＳ）、ステップＳ６において、二次電池５１の充電を終了する。
【００５５】
電子レンジ１は、このような充電制御処理を実行することにより、電力料金が安価になる深夜電力を用いて自動的に二次電池５１を充電することができる。これにより、電子レンジ１は、二次電池５１の充電に必要な電気料金を低減することができる。また、電子レンジ１は、外部電源が商用交流電源である場合には、夜間など比較的電力需要の少ない時間帯に電気を使用する時間を移動する「ピークシフト」を実現することができる。
【００５６】
なお、図６の充電制御処理は、充電開始条件の一つに深夜電力時刻になったか否かを用いたが、他の時刻の到来を開始条件としてもよい。例えば、制御部３０は、午前中に二次電池５１の充電状態（電池残量）を確認する。制御部３０は、充電状態がＭＡＸではない場合には、電力需要がピークとなる午後から夕方にかけて、午前中に充電した二次電池５１を使用して電力供給することができる。これにより、電子レンジ１は、電力需要がピークとなり得る時間帯には商用交流電源である外部電源５０の電力消費を抑制する「ピークカット」を実現することができる。
【００５７】
以上で本実施形態における電子レンジ１により実行される充電制御処理の説明を終了する。
【００５８】
次に、本実施形態における電子レンジ１が使用する電源を切り替えるための電源切替処理について説明する。
【００５９】
電子レンジ１は、２つの加熱モードを有する。第１の加熱モードは、外部電源５０または二次電池５１を使用し、外部電源５０のみを使用する場合と同等またはそれ以下の電力を用いて加熱調理を行う通常加熱モードである。第２の加熱モードは、外部電源５０および二次電池５１の両者を使用し、外部電源５０のみを使用する場合よりも大きい電力を用いて加熱調理を行う快速加熱モードである。以下に説明する電源切替処理は、第１の加熱モードである通常加熱モードを用いて被加熱物の加熱を行う指示を、操作部２０を介して電子レンジ１が受け付けた場合に実行される処理である。
【００６０】
図７は、本実施形態における電子レンジ１により実行される電源切替処理を説明するフローチャートである。
【００６１】
ステップＳ１１において、制御部３０は、通常加熱モードによる加熱調理の指示を受け付けたか否かの判定を行う。制御部３０は、通常加熱モードによる加熱調理の指示を受け付けていないと判定した場合（ステップＳ１１のＮＯ）、指示を受け付けるまで待機する。
【００６２】
一方、制御部３０は通常加熱モードによる加熱調理の指示を受け付けたと判定した場合（ステップＳ１１のＹＥＳ）、ステップＳ１２において、現在の時刻は深夜電力時刻であるか否かの判定を行う。制御部３０は現在の時刻は深夜電力時刻であると判定した場合（ステップＳ１２のＹＥＳ）、ステップＳ１３において、使用者の指示に基づき動作させる加熱手段３１〜３３に対して、外部電源５０による電力を供給する。現在の時刻が深夜電力時刻である場合には、上述した通り電力料金が安価であるため、電子レンジ１は外部電源５０による電力供給を選択する。
【００６３】
一方、制御部３０は現在の時刻は深夜電力時刻ではないと判定した場合（ステップＳ１２のＮＯ）、ステップＳ１４において、二次電池５１の残量を検出し、検出された残量は所定値以上であるか否かの判定を行う。判定に用いられる所定値は、例えば、使用者より指示された調理メニューに基づく加熱手段３１〜３３の動作に必要な電力を補うことができる電池残量の値である。
【００６４】
制御部３０は残量が所定値以上であると判定した場合（ステップＳ１４のＹＥＳ）、ステップＳ１５において、使用者の指示に基づき動作させる加熱手段３１〜３３に対して二次電池５１による電力を供給する。電子レンジ１は、二次電池５１により電力供給することにより、深夜電力時刻以外の電力需要がピークとなり得る時間帯には商用交流電源などの外部電源５０の電力消費を抑制し、「ピークカット」を実現することができる。
【００６５】
一方、制御部３０は残量が所定値より小さいと判定した場合（ステップＳ１４のＮＯ）、二次電池５１のみにより加熱手段３１〜３３を動作させることができないと判定する。ステップＳ１６において、制御部３０は、使用者の指示に基づき動作させる加熱手段３１〜３３に対して外部電源５０および二次電池５１により電力を供給する。
【００６６】
このとき、制御部３０は、外部電源５０と二次電池５１との間の電力供給比率を、電力需要のピークを考慮して設定する。具体的には、制御部３０の記憶部３０ａに電力需要がピークとなる時刻を詳細に記憶させる。制御部３０は、記憶部３０ａに記憶された時刻に従って、外部電源５０と二次電池５１との間の電力供給比率を制御する。例えば、制御部３０は、ピークが到来する時刻においては二次電池５１の電力供給比率を大きくする。記憶部３０ａに記憶される時刻に応じた電力供給比率は、使用者によりまたは自動的に変更可能としてもよい。
【００６７】
また、制御部３０は、外部電源５０のみを使用する場合の電力量よりも大きくなるように外部電源５０および二次電池５１の電力供給比率を制御し大きな電力を用いた加熱調理を行うことで、調理時間を短縮することができる。
【００６８】
以上で本実施形態における電子レンジ１により実行される電源切替処理の説明を終了する。
【００６９】
なお、図７の電源切替処理は、外部電源端子５２に他の電気機器が接続された場合においても適用することができる。具体的には、制御部３０は、深夜電力時刻であるか否か（図７の時刻判定ステップＳ１２）、二次電池の残量は所定値以上であるか否か（残量判定ステップＳ１４）に応じて、外部電源端子５２に対する電力の供給元を切替える。これにより、電子レンジ１は、外部電源端子５２使用時においても上述した効果と同様の効果を奏することができる。
【００７０】
なお、外部電源端子５２に他の電気機器が接続された場合の電源切替処理は、図７の指示受付判定ステップＳ１１が、外部電源端子５２に他の電気機器が接続されたか否かを判定する処理に変更されるのみであるため、フローチャートを用いた説明を省略する。
【００７１】
以上説明した本実施形態における電子レンジ１によれば、外部電源５０からの電力の供給を時刻に応じて制御することにより、電子レンジ１が使用する外部電源５０を好適に節電することができる。
【００７２】
また、二次電池５１に充電された電力は他の電気機器にも使用することができるため、非常時や外部電源５０が使用できない場合であっても、二次電池５１を活用することができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１  電子レンジ
１０  本体
１４  加熱室
２０  操作部
２１  表示部
３０  制御部
３０ａ  記憶部
３０ｂ  タイマ
３１  マグネトロン
３２  ヒータ
３３  スチーム発生用ヒータ
５０  外部電源
５１  二次電池
５２  外部電源端子
５５  電池スイッチ
５６  電池選択スイッチ
５７  外部電源スイッチ
【図１】
2013076472.tif 000003
【図２】
2013076472.tif 000004
【図３】
2013076472.tif 000005
【図４】
2013076472.tif 000006
【図５】
2013076472.tif 000007
【図６】
2013076472.tif 000008
【図７】
2013076472.tif 000009